(57)【要約】【課題】アナログ放送とディジタル放送とが受信できると共に、Ｓ／Ｎ比の改善が図れる受信装置を提供する。【解決手段】本発明の受信装置は、アナログ放送の信号とディジタル放送の信号を入力し、前記アナログ放送の信号をアナログ中間周波信号に周波数変換し、前記ディジタル放送の信号をディジタル中間周波信号に周波数変換する周波数変換部２０と、アナログ復調回路４０と、ディジタル復調回路５０と、前記アナログ復調回路４０の動作を制御する信号ＳＬＥＥＰ１と前記ディジタル復調回路５０の動作を制御する信号ＳＬＥＥＰ２を出力するコントローラ６０とを備え、ＳＬＥＥＰ１とＳＬＥＥＰ２の制御により、アナログ放送受信時には、アナログ復調回路４０が動作し、ディジタル復調回路５０を停止させ、ディジタル放送受信時には、ディジタル復調回路５０が動作し、アナログ復調回路４０の動作が停止する。【選択図】図１
2008124682.tif 000002
【特許請求の範囲】
【請求項１】
第１の入力信号と第２の入力信号を入力し、前記第１の入力信号を第１の中間周波信号に周波数変換し、前記第２の入力信号を第２の中間周波信号に周波数変換する周波数変換部と、
前記第１の中間周波信号から第１の復調信号を復調する第１の復調回路と、
前記第２の中間周波信号から第２の復調信号を復調する第２の復調回路と、
前記第１の復調回路の動作を制御する信号と、前記第２の復調回路の動作を制御する信号を出力するコントローラとを備え、
前記コントローラの出力信号の制御により、いずれか一方の入力信号を受信するときには、受信信号側の復調回路が動作し、他方の復調回路の動作が停止する
ことを特徴とする受信装置。
【請求項２】
前記第１の入力信号がアナログテレビジョン放送であり、
前記第２の入力信号がディジタルテレビジョン放送であり、
前記第１の復調回路は、アナログテレビジョン放送からアナログビデオ信号に復調でき、
前記第２の復調回路は、ディジタルテレビジョン放送からディジタル信号を復調できる
ことを特徴とする請求項１記載の受信装置。
【請求項３】
さらに、チャンネルサーチ時には、前記コントローラの出力信号の制御により、前記第１の復調回路であるアナログ復調回路と前記第２の復調回路であるディジタル復調回路が共に動作する
ことを特徴とする請求項２記載の受信装置。
【請求項４】
前記第１の復調回路であるアナログ復調回路は、動作を停止する際に、増幅器の利得を最小にし、電圧制御発振器を停止する
ことを特徴とする請求項２または３記載の受信装置。
【請求項５】
前記第２の復調回路であるディジタル復調回路は、動作を停止する際に、入出力を固定する
ことを特徴とする請求項２から４のいずれかに記載の受信装置。
【請求項６】
周波数変換部により第１の入力信号を第１の中間周波信号に周波数変換し、第２の入力信号を第２の中間周波信号に周波数変換し、
第１の復調回路にて前記第１の中間周波信号から第１の復調信号を復調し、
第２の復調回路にて前記第２の中間周波信号から第２の復調信号を復調し、
コントローラの出力信号の制御により、いずれか一方の入力信号を受信するときには、受信信号側の復調回路が動作し、他方の復調回路の動作が停止する
ことを特徴とする受信方法。
【発明の詳細な説明】
【技術分野】
【０００１】
本発明は、複数の信号の受信装置に関し、特に、ディジタル変調されたテレビジョン信号とアナログ変調されたテレビジョン信号とを選択的に受信可能なディジタル・アナログ受信装置に関する。
【背景技術】
【０００２】
ディジタルＣＳ（Ｃｏｍｍｕｎｉｃａｔｉｏｎ  Ｓａｔｅｌｌｉｔｅ）放送やＢＳ（Ｂｒｏａｄｃａｓｔ Ｓａｔｅｌｌｉｔｅ）放送、ディジタル地上波放送等、テレビジョン放送のディジタル化が進められてきており、徐々に、アナログのテレビジョン放送からディジタルのテレビジョン放送への移行が進んでいる。
【０００３】
しかしながら、テレビジョン放送のディジタル化が進められても、既存のアナログのテレビジョン放送をすぐに停止することにはならない。このため、アナログのテレビジョン放送からディジタルのテレビジョン放送へ移行する過渡期においては、アナログのテレビジョン放送とディジタルのテレビジョン放送とが共存している。
【０００４】
このように、アナログのテレビジョン放送とディジタルのテレビジョン放送との双方が行われるような場合には、アナログテレビジョン放送とディジタルテレビジョン放送との両者が受信できるテレビジョン受像機が要望される。
【０００５】
図７は、このようなディジタルテレビジョン放送とアナログテレビジョン放送との両者が受信できる従来のテレビジョン受像機の受信装置の一例である。この図７のように従来のテレビジョン受像機は、主にアンテナ１０、チューナ回路２０、ＳＡＷフィルタ３０、３１、アナログ復調回路４０、ディジタル復調回路５０とを有する。
【０００６】
アンテナ１０で受信された高周波信号は、ディジタルアナログ共用チューナ回路２０で希望のチャンネル周波数を選択し、中間周波信号に変換され、アナログ復調処理を行なう系統とディジタル復調処理を行なう系統とに分配される。
【０００７】
アナログ放送が受信されているとき、中間周波信号は、帯域通過フィルタ (一般的にはＳＡＷフィルタ) ３０を通過し、アナログ復調回路４０にて復調され、アナログ映像検波出力、音声出力が出力される。
【０００８】
一方、ディジタル放送が受信されているとき、中間周波信号は、帯域通過フィルタ (一般的にはＳＡＷフィルタ) ３１を通過し、ディジタル復調回路５０にて復調される。
【０００９】
コントローラ６０は、受信チャンネルに応じてチューナ回路２０に周波数設定データを出力し、受信チャンネルがアナログ放送であるかディジタル放送であるかに応じて、ＡＧＣ切替回路６１にアナログ復調回路４０の出力ＲＦＡＧＣ１とディジタル復調回路５０の出力ＲＦＡＧＣ２の切替を行なうためのＡＧＣ切替信号を出力する。
【００１０】
なお、この出願の発明に関する先行技術文献情報としては、例えば特許文献１が知られている。
【特許文献１】特許第３７４１６４８号公報
【発明の開示】
【発明が解決しようとする課題】
【００１１】
しかしながら、従来の受信装置では、アナログ放送受信時にもディジタル復調回路５０が動作し、ディジタル放送受信時にも、アナログ復調回路４０が動作している。このアナログ復調回路４０もディジタル復調回路５０も同じ基板上に配置されるため、アナログ放送受信時には、アナログ復調回路４０がディジタル復調回路５０から発せられるノイズの影響を受け、ディジタル放送受信時には、ディジタル復調回路５０がアナログ復調回路４０から発せられるノイズの影響を受け、Ｓ／Ｎ比の劣化や感度の劣化などの問題が多々生じている。
【００１２】
また、近年、薄型ＴＶの普及に伴い、チューナパックやボードも小型で消費電力の小さいものが要望されており、アナログ復調回路４０とディジタル復調回路５０の距離が近くなり上記のような問題も起こりやすくなっている。
【００１３】
本発明は上記のような従来の問題を解決するもので、アナログ復調回路４０とディジタル復調回路５０の互いから発生するノイズの影響を抑え、アナログ放送もディジタル放送も良好に受信できる小型の消費電力の小さい受信装置を提供することを目的とする。
【課題を解決するための手段】
【００１４】
上記の課題を解決するため本発明の受信装置は、第１の入力信号と第２の入力信号を入力し、前記第１の入力信号を第１の中間周波信号に周波数変換し、前記第２の入力信号を第２の中間周波信号に周波数変換する周波数変換部と、
前記第１の中間周波信号から第１の復調信号を復調する第１の復調回路と、
前記第２の中間周波信号から第２の復調信号を復調する第２の復調回路と、
前記第１の復調回路の動作を制御する信号と、前記第２の復調回路の動作を制御する信号を出力するコントローラとを備え、
前記コントローラの出力信号の制御により、いずれか一方の入力信号を受信するときには、受信信号側の復調回路が動作し、他方の復調回路の動作が停止する
ことを特徴とする受信装置である。
【００１５】
この構成によれば、第１の入力信号を受信するときも第２の入力信号を受信するときも他方の復調回路は動作していないためノイズの影響を受けず、良好なＳ／Ｎ比を得ることができるという効果がある。
【００１６】
ここで、前記第１の入力信号がアナログテレビジョン放送であり、
前記第２の入力信号がディジタルテレビジョン放送であり、
前記第１の復調回路は、アナログテレビジョン放送からアナログビデオ信号に復調でき、
前記第２の復調回路は、ディジタルテレビジョン放送からディジタル信号を復調できる
ことを特徴とする請求項１記載の受信装置としてもよい。
【００１７】
この構成によれば、アナログ放送もディジタル放送も良好に受信することができる。
【００１８】
ここで、さらに、チャンネルサーチ時には、前記コントローラの出力信号の制御により、前記第１の復調回路であるアナログ復調回路と前記第２の復調回路であるディジタル復調回路が共に動作する
ことを特徴とする請求項２記載の受信装置としてもよい。
【００１９】
この構成によれば、チャンネルサーチも従来と同様の方式で行なうことができる。
【００２０】
ここで、前記第１の復調回路であるアナログ復調回路は、動作を停止する際に、増幅器の利得を最小にし、電圧制御発振器を停止する
ことを特徴とする請求項２または３記載の受信装置としてもよい。
【００２１】
この構成によれば、ディジタル放送受信時に良好なＳ／Ｎ比を得ることができる。さらに消費電力も少ないという効果がある。
【００２２】
ここで、前記第２の復調回路であるディジタル復調回路は、動作を停止する際に、入出力を固定する
ことを特徴とする請求項２から４のいずれかに記載の受信装置としてもよい。
【００２３】
この構成によれば、アナログ放送受信時も良好なＳ／Ｎ比を得ることができる。
【００２４】
また、本発明の受信方法も上記と同様の手段を有し、同様の効果を奏する。
【発明の効果】
【００２５】
本発明によれば、アナログ放送とディジタル放送をともに良好に受信できるという効果がある。特に小型の受信装置で有効である。
【発明を実施するための最良の形態】
【００２６】
本実施の形態における受信装置では、ディジタル放送受信時はアナログ復調回路４０が停止し、アナログ放送受信時はディジタル復調回路５０が停止するように構成されている。すなわち、アナログ放送受信時にはディジタル復調回路５０からのノイズの影響がなく、ディジタル放送受信時にはアナログ復調回路４０からのノイズの影響がない。これにより、アナログ放送もディジタル放送も良好に受信できる。
【００２７】
以下、本発明の実施の形態について、図面を用いて説明する。なお、図中の同一部分または相当部分には同一符号を付してその説明は繰り返さない。
【００２８】
図１は、本発明の一実施の形態である受信装置を示すブロック図である。図２は、ディジタルアナログ共用チューナ２０の一例であり、図３はアナログ復調回路４０の一例であり、図４はディジタル復調回路５０の一例である。
【００２９】
図２（ａ）は、シングルコンバージョン方式のディジタルアナログ共用チューナ回路の一例である。アンテナ１０で受信された高周波信号は、高周波増幅器２０１において所定レベルに増幅され、混合器２０２に与えられる。混合器２０２では、ＰＬＬ回路２０４により制御されて局部発振回路２０３からの局部発振信号と混合され、中間周波信号に周波数変換される。なお、局部発振信号の発振周波数設定データは、マイクロコンピュータなどのコントローラ６０から選局信号として出力され、デコーダ２０５を通してＰＬＬ回路２０４に設定される。
【００３０】
また、図２（ｂ）は、ダブルコンバージョン方式のディジタルアナログ共用チューナ回路の一例で、シングルコンバージョン方式と同様に高周波信号から中間周波信号に周波数変換する。アンテナ１０で受信された高周波信号は、第１高周波増幅器２０６において所定レベルに増幅され、第１混合器２０７に与えられる。第１混合器２０７では、第１ＰＬＬ回路２０９により制御されて第１局部発振器２０８からの第１局部発振信号と混合され、第１中間周波信号にアップコンバートされる。第１中間周波信号は、バンドパスフィルター２１０で帯域制限をかけた後、第２高周波増幅器２１１で増幅され、第２混合器２１２にて第２局部発振器２１３からの第２局部発振信号と混合され、第２中間周波信号にダウンコンバートされる。
【００３１】
次に、ディジタルアナログ共用チューナ回路２０から出力された中間周波信号は、アナログ復調処理を行なう系統とディジタル復調処理を行なう系統とに分配される。
【００３２】
アナログ放送が受信されているときは、中間周波信号は、帯域通過フィルタ (一般的にはＳＡＷフィルタ) ３０を通過し、アナログ復調回路４０に入力される。図３にアナログ復調回路４０の一例を示す。中間周波信号は、ＶＩＦ増幅器４０１で一定レベルに増幅され、映像検波器４０２へ入力される。ＶＩＦ検波器４０２では、ＶＩＦ増幅器４０１からの出力信号とＶＣＯ（電圧制御発振器）４０４からの出力信号とが乗算され、映像検波出力が出力される 。この映像検波出力は外部に出力されるとともに、内部のＡＧＣ回路４０３にフィードバックされる。ＡＧＣ回路４０３は、映像検波出力信号のレベルを検出してＶＩＦ増幅器４０１のゲインを制御し、その出力を一定レベルに保持するようにする。また、高周波増幅器２０１のゲインを制御するために、ＲＦＡＧＣ１を出力する。アナログ放送受信時には、ＡＧＣ切替回路６１にて、コントローラ６０からの切替信号に基づいてＲＦＡＧＣ１が選択され、高周波増幅器２０１に入力される。また、ＳＡＷフィルタ３０で映像信号と分離された音声中間周波信号は、ＱＩＦ増幅器４０６で増幅され、音声混合器４０７でＶＣＯ４０４の出力発振信号と掛け合わされ、ＳＩＦ信号に変換される。その後ＳＩＦ信号は音声処理され、出力される。
【００３３】
一方、ディジタル放送が受信されているときは、ディジタルアナログ共用チューナ回路２０から出力された中間周波信号は、帯域通過フィルタ (一般的にはＳＡＷフィルタ) ３１を通過し、ディジタル復調回路５０に入力される。図４にディジタル復調回路５０の一例を示す。中間周波信号は、ＩＦ増幅器５０１で一定レベルに増幅された後、Ａ／Ｄコンバータ５０２によりディジタル信号に変換され、復調回路５０３によりＱＡＭ、ＶＢＭ、ＯＦＤＭなどの復調がされる。また、ＡＧＣ検波回路５０４は、ディジタル復調が適切に行なわれるようにＩＦ増幅器５０１のゲインを制御するとともに、ＲＦ増幅器２０１（２０６、２１１）のゲインを制御するＲＦＡＧＣ２を出力する。ディジタル放送受信時には、ＡＧＣ切替回路６１にて、コントローラ６０からの切替信号に基づいてＲＦＡＧＣ２が選択され、高周波増幅器２０１（２０６、２１１）に入力される。
【００３４】
コントローラ６０は、受信チャンネルに応じて受信した高周波信号を中間周波信号に周波数変換するためにＰＬＬ回路２０４（２０９、２１４）に設定するＰＬＬ周波数設定データを出力する。また、受信チャンネルに基づいてアナログ放送であるかディジタル放送であるかを判断し、ＡＧＣ切替回路６１にＲＦＡＧＣ１とＲＦＡＧＣ２の切替を行なうためのＡＧＣ切替信号を出力する。さらに、アナログ復調回路４０の動作を制御する信号ＳＬＥＥＰ１、ディジタル復調回路５０の動作を制御する信号ＳＬＥＥＰ２が出力される。これら周波数設定データ、ＡＧＣ切替信号、アナログ復調回路制御信号ＳＬＥＥＰ１、ディジタル復調回路制御信号ＳＬＥＥＰ２は、ＩＩＣなどのバスとして出力され、デコーダを通し、各回路を制御する。
【００３５】
次に、このように構成された本発明の受信装置の動作を説明する。図５に本発明の各放送受信状態におけるＳＬＥＥＰ１とＳＬＥＥＰ２の状態を示す。
【００３６】
アナログ放送受信時には、ＳＬＥＥＰ１の信号によりアナログ復調回路４０が動作するように制御される。また、ＳＬＥＥＰ２の信号によりディジタル復調回路５０の動作が停止するように制御される。一方、ディジタル放送受信時には、ＳＬＥＥＰ２の信号によりディジタル復調回路５０が動作し、ＳＬＥＥＰ１の信号によってアナログ復調回路４０が動作が停止するように制御される。また、チャンネルサーチ時には、ＳＬＥＥＰ１、ＳＬＥＥＰ２により、アナログ復調回路４０とディジタル復調回路５０の両方を動作するように制御される。
【００３７】
アナログ復調回路４０は、ＳＬＥＥＰ１により動作を停止させられるとき、次のような動作をする構成になっている。
【００３８】
(1) バスインターフェース４１０は、コントローラ６０からＩ２Ｃなどのバスで送信されたＳＬＥＥＰ１の信号を入力し、各回路を制御する信号を出力する。そのためこのバスインターフェース４１０は常時動作させる。これによって、ＳＬＥＥＰ１信号を常に受信することができる。
【００３９】
(2) 増幅器（ＶＩＦ増幅器４０１、ＱＩＦ増幅器４０６など）のゲインを最小にする。例えば、ＩＦＡＧＣ１の電圧が図６のように入力強度が大きくなるにつれて下がるような構成であれば、ＩＦＡＧＣ１の電圧を下げることで、ＶＩＦ増幅器４０１のゲインを最小にすることができる。増幅器のゲインが下がれば、ノイズやディジタル信号が入力されても、映像検波器４０２、音声混合器４０７の出力は小さくなり、ノイズの発生が抑えられる。
【００４０】
(3) ＶＣＯ（ＶＣＯ４０４など）の発振動作を停止する。図７にＶＣＯ４０４の一例を示す。この図７のＶＣＯのように多くのＶＣＯでは電流（図７ではＩ１）をＯＦＦにするとＶＣＯが停止する。ＶＣＯが停止することで、映像検波器４０２、音声混合器４０７の出力に不要なＶＣＯの成分やその高周波成分が出力されることはなくなる。
【００４１】
(4) 電流を減らす。例えば、電流の多いＶＩＦ増幅器４０１やＶＣＯ４０４、位相検波器などの電流を減らすと有効である。電流を減らすことで、消費電力を減少させることができ、半導体デバイスの信頼性が向上する。
【００４２】
(5) アナログ復調回路４０の入力端子や出力端子の電圧やインピーダンスが、スリープ時と受信時に変化しない構成にする。これは、前段や後段に接続されている周辺回路によっては、電圧やインピーダンスが変わることで、電流が増加し、半導体デバイスの信頼性を損なうおそれがあるためである。
【００４３】
以上より、ディジタル放送受信時には、ＳＬＥＥＰ１の信号によって動作が停止するように制御されたアナログ復調回路４０は、無入力やアナログ信号入力であっても出力電圧がほぼ一定で、ノイズをほとんど発しなくなり、ディジタル復調回路５０はノイズの影響を受けることなく正確に復調することができる。また、消費電流の多い増幅器やＶＣＯが動作を停止することで消費電力も減らすことができ、半導体デバイスの信頼性を向上することができる。
【００４４】
一方、ディジタル復調回路５０は、ＳＬＥＥＰ２により動作を停止させられるとき、例えば次のような動作をする。
【００４５】
(1) バスインターフェース５０５は、コントローラ６０からＩ２Ｃなどのバスで送信されたＳＬＥＥＰ２の信号を入力し、各回路を制御する信号を出力する。そのため、このバスインターフェース５０５は常時動作させる。従って、ＳＬＥＥＰ２の信号を常に受信することができる。
【００４６】
(2) ロジックの入力や出力を固定する。図８に入出力を固定した回路の例を示す。このように入出力にＡＮＤ回路やＯＲ回路を追加することで固定できる。入力を固定することで、ディジタル回路の内部回路が変化するのを低減させることができ、出力を固定することでたとえディジタル回路の内部からのノイズで出力が変動していても一定にすることができる。このため、ディジタル回路およびディジタル回路の出力からのノイズを低減することができる。
【００４７】
(3) クロックを止める。入力の固定と同じように、ＡＮＤ回路やＯＲ回路を追加することでクロックを止めることができ、内部回路が変化するのを低減することができる。よって、ノイズを低減できる。また、クロックを止めることで変化する時に流れる電流が減少し、消費電力を低減することができる。
【００４８】
アナログ放送受信時には、ＳＬＥＥＰ２の信号により動作が停止するように制御されたディジタル復調回路５０は、無入力やアナログ信号入力であってもノイズをほとんど発しなくなり、アナログ復調回路４０はノイズの影響を受けることなく良好なＳ／Ｎ比を得ることができる。また、ディジタル復調回路のクロックや入力を止める（固定する）ことで電流が減少し消費電力を減らすことができる。
【００４９】
また、チャンネルサーチ時には、ＳＬＥＥＰ１、ＳＬＥＥＰ２により、アナログ復調回路４０とディジタル復調回路５０の両方が動作するように制御される。このため、一回のチャンネルサーチの動作で、ディジタルとアナログの両放送のチャンネルを検出することができ、時間が短縮できる。通常、チャンネルサーチの時間には数１０分を要しているため、ディジタルとアナログ放送をおのおのチャンネルサーチするよりは大きな時間の短縮となる。また、この際には受信映像を画面に映す必要はないため、Ｓ／Ｎ比の多少の劣化は問題ない。
【００５０】
アナログ放送受信時とディジタル放送受信時のチャンネル切替時には、完全に電源をオフにするのではないため、停止状態から受信状態への移行時間を短縮することができる。逆に、電源を完全にＯＦＦしてしまうと、消費電力は低減されるが、移行時間が長くなり、ＴＶの視聴者にとって不都合を生じるおそれがある。
【００５１】
以上説明したように、本発明の受信装置では、一方を受信しているときに他方を停止させている。よってノイズの影響を受けずに良好に受信できる。
【００５２】
なお、図１の受信装置は、典型的にはテレビジョンセットなどの受信装置に実装される。特に、近年の小型化しているテレビチューナパックに適している。
【００５３】
また、本例では、受信信号がアンテナから入力するとして説明をしてきたが、ケーブルＴＶの受信時は、受信信号がケーブルから入力されることは言うまでもない。
【産業上の利用可能性】
【００５４】
本発明の受信装置は、複数の復調回路を有する受信装置、特にアナログ復調回路とディジタル復調回路を有するディジタルアナログ共用受信装置、例えば、テレビチューナパック、テレビジョンセットに対し有用である。
【図面の簡単な説明】
【００５５】
【図１】本発明の一実施の形態による受信装置を示すブロック図
【図２】図１で示すディジタルアナログ共用チューナ回路２０の一構成例を示すブロック図
【図３】図１で示すアナログ復調回路４０の一構成例を示すブロック図
【図４】図１で示すディジタル復調回路５０の一構成例を示すブロック図
【図５】各放送受信状態における図１で示す信号ＳＬＥＥＰ１とＳＬＥＥＰ２の状態を示す図
【図６】図３で示すＡＧＣ回路４０３の出力ＩＦＡＧＣ１の電圧と入力強度の関係の一例を示す図
【図７】図３で示すＶＣＯ４０４の回路の一例を示す図
【図８】図４で示すディジタル復調回路５０３の入出力の固定回路の一例を示す図
【図９】従来の受信装置を示すブロック図
【符号の説明】
【００５６】
１０  アンテナ
２０  ディジタルアナログチューナパック
３０、３１  ＳＡＷフィルタ
４０  アナログ復調回路
５０  ディジタル復調回路
６０  コントローラ
６１  ＡＧＣ切替回路
２０１  高周波増幅器
２０２  混合器
２０３  局部発振器
２０４  ＰＬＬ回路
２０５  デコーダ
４０１  ＶＩＦ増幅器
４０２  ＶＩＦ検波器
４０３  ＡＧＣ回路
４０４  ＶＣＯ（電圧制御発振器）
４０５  ＰＬＬ回路
４０６  ＱＩＦ増幅器
４０７  ＱＩＦ混合器
４０８  音声処理回路
５０１  ディジタル用ＩＦ増幅器
５０２  Ａ／Ｄコンバータ
５０３  ディジタル復調回路（ＱＡＭ、ＶＢＭ、ＯＦＤＭなど）
５０４  ＡＧＣ回路
【図１】
2008124682.tif 000003
【図２】
2008124682.tif 000004
【図３】
2008124682.tif 000005
【図４】
2008124682.tif 000006
【図５】
2008124682.tif 000007
【図６】
2008124682.tif 000008
【図７】
2008124682.tif 000009
【図８】
2008124682.tif 000010
【図９】
2008124682.tif 000011